(57)【特許請求の範囲】
【請求項１】
衛生用紙に付着した紙粉を除去するための紙粉除去装置（１）を用いた衛生用紙の製造方法において，
前記紙粉除去装置（１）は，
エアを吐出可能なエア吐出部（１０）と，エアを吸引可能なエア吸引部（２０）を備え，
前記エア吐出部（１０）は，前記衛生用紙の搬送経路の片側であって，前記衛生用紙の一方の紙面に対向する位置に，エア吐出口（１１）を有し，
前記エア吸引部（２０）は，前記衛生用紙の搬送経路の他側であって，前記衛生用紙の他方の紙面に対向する位置に，エア吸引口（２１）を有し，
前記エア吐出口（１１）と前記エア吸引口（２１）は，前記衛生用紙の搬送経路を挟んで互いに対向した位置に設けられており，
前記エア吐出口（１１）から吐出されたエアを，前記衛生用紙を通して，前記エア吸引口（２１）から吸引することで，前記紙粉を除去するものであり，
前記紙粉除去装置（１）によって，前記衛生用紙に付着した紙粉を除去する工程と，
前記紙粉を除去した後，前記衛生用紙を複数層に重ね合わせる重ね合せ部（２）によって，前記衛生用紙を重ね合わせる工程と，を含む
紙粉除去装置を用いた衛生用紙の製造方法。
【請求項２】
前記エア吐出口（１１）は，前記衛生用紙の水平搬送経路の下側に設けられ，
前記エア吸引口（２１）は，前記衛生用紙の水平搬送経路の上側に設けられている
請求項１に記載の製造方法。
【請求項３】
前記紙粉除去装置は，前記エア吐出口（１１）及び前記エア吸引口（２１）の搬送経路上流側には，前記衛生用紙に帯電した静電気を除電するための除電部（３０）を，さらに備える
請求項１又は請求項２に記載の製造方法。
【請求項４】
前記除電部（３０）は，前記衛生用紙の紙面に接する除電ブラシである
請求項３に記載の製造方法。
【請求項５】
前記紙粉を除去した後，前記衛生用紙に印刷を施す印刷部（３）によって，前記衛生用紙に印刷を施す工程をさらに含む
請求項１から請求項４のいずれかに記載の製造方法。
【請求項６】
前記紙粉を除去した後，前記衛生用紙に保湿剤を塗布する保湿剤塗布部（４）によって，前記衛生用紙に保湿剤を塗布する工程をさらに含む
請求項１から請求項４のいずれかに記載の製造方法。
【請求項７】
紙粉除去装置（１）を用いて，通気性を有する衛生用紙に付着した紙粉を除去するための紙粉除去方法において，
前記紙粉除去装置（１）は，
エアを吐出可能なエア吐出部（１０）と，エアを吸引可能なエア吸引部（２０）を備え，
前記エア吐出部（１０）は，前記衛生用紙の搬送経路の片側であって，前記衛生用紙の一方の紙面に対向する位置に，エア吐出口（１１）を有し，
前記エア吸引部（２０）は，前記衛生用紙の搬送経路の他側であって，前記衛生用紙の他方の紙面に対向する位置に，エア吸引口（２１）を有し，
前記エア吐出口（１１）と前記エア吸引口（２１）は，前記衛生用紙の搬送経路を挟んで互いに対向した位置に設けられており，
前記エア吐出口（１１）から吐出されたエアを，前記衛生用紙を通して，前記エア吸引口（２１）から吸引することで，前記紙粉を除去するものであり，
前記紙粉除去装置（１）によって前記衛生用紙に付着した紙粉を除去する工程であって，前記衛生用紙の前記エア吐出口（１１）側の紙面に付着した紙粉のうち，当該衛生用紙の構成繊維間を通過可能な微細な紙粉を，前記エア吐出口（１１）から吐出したエアによって押し出して，紙面の反対側に設けられた前記エア吸引口（２１）によって吸引することで除去する工程を含む，
紙粉除去方法。
【発明の詳細な説明】
【技術分野】
【０００１】
本発明は，衛生用紙に付着した紙粉を除去するための紙粉除去装置，及び紙粉除去装置を用いた衛生用紙の製造方法に関する。具体的に説明すると，本発明の紙粉除去装置は，エアを吐出可能なエア吐出部と，エアを吸引可能なエア吸引部とによって，衛生用紙に付着した紙粉を除去する。
【背景技術】
【０００２】
従来から，ティシュペーパーやトイレットペーパーのような衛生用紙の製造工程では，例えば，消費者による衛生用紙の使用時等に紙面から紙粉が落ちることを防止するために，紙粉除去装置を用いて，衛生用紙に付着した紙粉の除去が行われている。
【０００３】
この種の紙粉除去装置としては，連続紙の搬送路を境として，その片側に，連続紙の紙面に臨むエア吐出口及びエア吸引口を設け，連続紙の片側において，エア吐出口からエアを吐出して紙粉を連続紙の紙面から離脱させるとともに，連続紙の紙面から離脱した紙粉をエア吸引口から吸引して，紙粉を除去するようにしたものが知られている（特許文献１，特許文献２）。
【０００４】
また，紙粉除去装置としては，連続紙が巻き掛けられて連続紙の移送方向を変換する丸棒状の案内体を中空とするとともに，この案内体の外周面に吸引口を形成し，連続紙の紙面に付着した紙粉を当該吸引口から吸引して除去するようにしたものが知られている（特許文献３）。
【先行技術文献】
【特許文献】
【０００５】
【特許文献１】特開２００２−２００５９１号公報
【特許文献２】特開２００７−  ２２７１０号公報
【特許文献３】特開２００６−２１９２０８号公報
【発明の概要】
【発明が解決しようとする課題】
【０００６】
しかしながら，特許文献１及び特許文献２に開示された紙粉除去装置を用いて，連続紙の両面各面に付着した紙粉を除去するためには，連続紙の両面各面に対応して，それぞれエア吐出口とエア吸引口を設ける必要があり，大きな設置スペースを要するだけでなく，部品点数が増加し，コスト高になるという問題があった。
【０００７】
また，特許文献３に開示された紙粉除去装置を用いて，連続紙の両面各面に付着した紙粉を除去するためには，吸引口を有する案内体を少なくとも２つ設ける必要があるだけでなく，それぞれの案内体の外周面に連続紙の各面が接するように，連続紙の搬送経路を設定する必要があり，大きな設置スペースを要するという問題があった。また，特許文献３の紙粉除去装置は，連続紙に付着した紙粉のうち，案内体の吸引口に対応した部分の紙粉は除去し得るものの，それ以外の部分の紙粉を除去することができず，連続紙に付着した紙粉を確実に除去し得ないという問題があった。
【０００８】
このため，現在では，コンパクトかつ低コストな構成で，衛生用紙の両面に付着した紙粉を確実に除去できる紙粉除去装置，及び当該紙粉除去装置を用いた衛生用紙の製造方法が求められている。
【課題を解決するための手段】
【０００９】
そこで，本発明の発明者らは，上記の従来発明の問題点を解決する手段について鋭意検討した結果，衛生用紙の搬送経路の片側にエア吐出口を設け，搬送経路の他側にエア吸引口を設けて，エア吐出口から衛生用紙の一方の紙面に対して吹きつけたエアを，衛生用紙を通して，エア吸引口により衛生用紙の他方の紙面側から吸引することで，衛生用紙の両面に付着した紙粉を，コンパクトかつ低コストな構成で，確実に除去できるという知見を得た。そして，本発明者らは，上記知見に基づけば，従来技術の課題を解決できることに想到し，本発明を完成させた。
具体的に本発明は，以下の構成を有する。
【００１０】
本発明の第１の側面は，衛生用紙に付着した紙粉を除去するための紙粉除去装置１に関する。
紙粉除去装置１は，エアを吐出可能なエア吐出部１０と，エアを吸引可能なエア吸引部２０を備える。
エア吐出部１０は，衛生用紙の搬送経路の片側であって，衛生用紙の一方の紙面に対向する位置に，エア吐出口１１を有する。
エア吸引部２０は，衛生用紙の搬送経路の他側であって，衛生用紙の他方の紙面に対向する位置に，エア吸引口２１を有する。
このエア吐出口１１とエア吸引口２１は，衛生用紙の搬送経路を挟んで互いに対向した位置に設けられている。
そして，紙粉除去装置１は，エア吐出口１１から吐出されたエアを，衛生用紙を通して，エア吸引口２１から吸引することで，衛生用紙に付着した紙粉を除去する。
【００１１】
上記構成のように，衛生用紙の搬送経路を挟んで対向する位置にエア吐出口１１とエア吸引口２１を設けて，エアが衛生用紙を通気するようにして紙粉を除去することにより，少なくともエア吐出口１１とエア吸引口２１を一台ずつ設けるだけで，衛生用紙の両面に付着した紙粉を除去できる。
また，本発明の紙粉除去装置において，エア吐出部１０は，エア吐出口１１を介して衛生用紙の面に対してエアを吹きつけるものであるため，この吹きつけられたエアを，エア吸引口２１を介してエア吸引部２０によって吸引することにより，衛生用紙の全体に付着した紙粉を確実に除去できる。
さらに，本発明は，エアが衛生用紙を通気するようにして紙粉を除去するものであるため，衛生用紙が複数プライにより構成されたものである場合，衛生用紙の層間に介在する紙粉をも除去できる。
【００１２】
本発明の紙粉除去装置において，エア吐出口１１は，衛生用紙の水平搬送経路の下側に設けられ，エア吸引口２１は，衛生用紙の水平搬送経路の上側に設けられていることが好ましい。
【００１３】
上記構成のように，エア吐出口１１を衛生用紙の水平搬送経路の下側に設けることにより，例えば，エア吐出口１１側の紙面に付着した紙粉であっても，衛生用紙の構成繊維間を通過可能な程度に微細なものであれば，エアによって押し出して，反対側に設けられたエア吸引口２１から吸引することで除去できる。また，エア吐出口１１側の紙面に，衛生用紙の構成繊維間を通過できない程度の大きさを持つ紙粉が付着している場合であっても，エア吐出口１１を衛生用紙の水平搬送経路の下側に設けてエアを吹きつけることで，大きい紙粉を衛生用紙の紙面から離脱させて，重力に従って鉛直方向下方に落下させることができる。このため，上記構成によれば，より確実に，衛生用紙の両面に付着した紙粉を除去できる。
【００１４】
本発明の紙粉除去装置は，エア吐出口１１及びエア吸引口２１の搬送経路上流側に，衛生用紙に帯電した静電気を除電するための除電部３０を，さらに備えることが好ましい。
【００１５】
上記構成のようにエア吐出口１１及びエア吸引口２１よりも上流に除電部３０を設けることで，静電気の影響によって衛生用紙に付着した紙粉を紙面から離脱させることができる。このため，除電部３を設けることで，衛生用紙に付着した紙粉をより確実に除去できる。
【００１６】
本発明の紙粉除去装置において，上記除電部３０は，衛生用紙の紙面に接する除電ブラシであることが好ましい。
【００１７】
上記構成のように，衛生用紙の紙面に除電ブラシを接触させて除電を行うことにより，紙粉に帯電した静電気を除電すると同時に，衛生用紙に付着した紙粉を除電ブラシによって掻き落として除去することができる。このため，より確実に，衛生用紙に付着した紙粉を除去できる。
【００１８】
本発明の第２の側面は，上記第１の側面に係る紙粉除去装置を用いた衛生用紙の製造方法に関する。
本発明の製造方法は，第１の側面に係る紙粉除去装置１によって，衛生用紙に付着した紙粉を除去する工程と，
紙粉を除去した後，衛生用紙を複数層に重ね合わせる重ね合せ部２によって，衛生用紙を重ね合わせる工程と，を含むことが好ましい。
【００１９】
上記構成に従って衛生用紙を製造することにより，紙粉が確実に除去され，層間に紙粉が滞留することなく積層された衛生用紙を得ることができる。
【００２０】
本発明の製造方法は，第１の側面に係る紙粉除去装置１によって，衛生用紙に付着した紙粉を除去する工程と，
紙粉を除去した後，衛生用紙に印刷を施す印刷部３によって，衛生用紙に印刷を施す工程と，を含むことが好ましい。
【００２１】
上記工程のように，紙粉を除去した後に衛生用紙の紙面上に印刷を施すことにより，衛生用紙に対する印刷がより鮮明になる。
【００２２】
本発明の製造方法は，第１の側面に係る紙粉除去装置１によって，衛生用紙に付着した紙粉を除去する工程と，
紙粉を除去した後，衛生用紙に保湿剤を塗布する保湿剤塗布部４によって，衛生用紙に保湿剤を塗布する工程と，を含むことが好ましい。
【００２３】
上記工程のように，紙粉を除去した後に衛生用紙に対して保湿剤を塗布することにより無駄やムラが生じることなく保湿剤を塗布できる。
【発明の効果】
【００２４】
本発明は，衛生用紙の搬送経路を挟んで対向する位置にエア吐出口１１とエア吸引口２１を設けて，エアが衛生用紙を通気するようにして紙粉を除去するものであるため，少なくともエア吐出口１１とエア吸引口２１を一台ずつ設けるだけで，衛生用紙の両面に付着した紙粉を除去できる。従って，本発明によれば，コンパクトかつ低コストな構成を持つ紙粉除去装置を提供できる。
【００２５】
本発明は，エア吐出部１０がエア吐出口１１を介して，衛生用紙の面に対してエアを吹きつけるものであるため，この吹きつけられたエアを，エア吸引口２１を介してエア吸引部２０によって吸引することにより，衛生用紙の面全体に付着した紙粉を除去できる。従って，本発明によれば，衛生用紙の両面に付着した紙粉を，確実に除去することができる。
【図面の簡単な説明】
【００２６】
【図１】図１は，本発明に係る紙粉除去装置を示す概念図である。
【図２】図２は，本発明に係る紙粉除去装置を用いた衛生用紙の製造方法の第１の実施形態を示すブロック図である。
【図３】図３は，本発明に係る紙粉除去装置を用いた衛生用紙の製造方法の第２の実施形態を示すブロック図である。
【図４】図４は，本発明に係る紙粉除去装置を用いた衛生用紙の製造方法の第３の実施形態を示すブロック図である。
【発明を実施するための形態】
【００２７】
以下，図面を用いて本発明を実施するための形態について説明する。本発明は，以下に説明する形態に限定されるものではなく，以下の形態から当業者が自明な範囲で適宜修正したものも含む。
【００２８】
（１．紙粉除去装置）
図１は，本発明の紙粉除去装置の構成を示す概念図である。紙粉除去装置１は，例えば連続して走行する衛生用紙Ｐに付着した紙粉を除去する用途に用いられる。図１において，衛生用紙Ｐの搬送方向は矢印によって示されている。紙粉が除去される衛生用紙は，特に限定されるものではないが，衛生用紙の例としては，ティシュペーパー，トイレットペーパー，キッチンタオル，及びちり紙があげられる。また，本発明の紙粉除去装置１は，１プライの衛生用紙だけでなく，複数プライ（例えば２〜４プライ）の衛生用紙であっても，その紙面に付着した紙粉を除去できる。
【００２９】
図１に示されるように，紙粉除去装置１は，エアを吐出可能なエア吐出部１０と，エアを吸引可能なエア吸引部２０と，衛生用紙に帯電した静電気を除電するための除電部３０を備える。
【００３０】
エア吐出部１０は，エア吐出口１１と，電動送風機１２と，吐出用配管１３を有している。
エア吐出口１１は，吐出用配管１３を介して，電動送風機１２に接続され，電動送風機１２によって送り込まれたエアを，衛生用紙Ｐの紙面に対して吹きつける。本実施形態において，エア吐出口１１は，水平に走行する衛生用紙Ｐの水平搬送経路の鉛直方向下方に設けられ，衛生用紙Ｐの下面に対してエアを吹きつける。エア吐出口１１によってエアが吹きつけられる領域の幅は，衛生用紙Ｐの幅とほぼ同じか，衛生用紙Ｐの幅より大きくなるように構成されており，衛生用紙Ｐが搬送方向に沿って走行すると，エアが衛生用紙の全幅に亘って吹きつけるものであることが好ましい。また，例えば，エア吐出口１１の先端にノズル部品を取り付け，ノズル部品の開口を狭くすることにより，エア吐出口１１に取り付けられたノズルから，加圧エアが吐出されることとしてもよい。エア吐出口１１から吐出されるエアを効率的に衛生用紙Ｐに対して吹きつけるために，エア吐出口１１の先端（ノズルが取り付けられる場合にはノズルの先端）から衛生用紙Ｐの紙面までの距離は，例えば１ｍｍ〜１００ｍｍ，１０ｍｍ〜８０ｍｍ，又は２０ｍｍ〜６０ｍｍとすることが好ましい。
【００３１】
電動送風機１２は，例えばモータの駆動によりファンを回転させて外気を吸引し，吸引した外気を吐出用配管１３内に送り込む。電動送風機１２におけるモータの回転数を調節することにより，エア吐出口１１から吐出されるエアの吐出圧力を調節可能である。エア吐出口１１から吐出されるエアの吐出圧力は，例えば１．５ｋＰａ〜５．５ｋＰａ，２ｋＰａ〜５ｋＰａ，又は２．５ｋＰａ〜４．５ｋＰａ程度であることが好ましい。ただし，エアの吐出圧力は，紙粉を除去する衛生用紙Ｐの性質（例えば坪量，厚み，又は素材）や，エア吐出口１１の先端から衛生用紙Ｐの紙面までの距離等に応じて，適宜調整することができる。
【００３２】
吐出用配管１３は，エア吐出口１１と電動送風機１２を接続するための要素であり，気密性を有する公知のダクトやホースなどを用いればよい。
【００３３】
エア吸引部２０は，エア吸引口２１と，電動吸引機２２と，集塵機２３と，吸引用配管２４を有している。
エア吸引口２１は，吸引用配管２４を介して電動吸引機２２に接続され，吸引用配管２４内を負圧とすることにより，外気を吸引する。本実施形態において，エア吸引口２１は，水平に走行する衛生用紙Ｐの水平搬送経路の鉛直方向上方に位置し，水平搬送経路を挟んで，エア吐出口１１と対向する位置に設けられている。このため，エア吐出口１１から吐出されたエアが衛生用紙Ｐを透過すると，当該透過したエアは，エア吸引口２１から吸引されるようになっている。エア吸引口２１によってエアが吸引される領域の幅は，衛生用紙Ｐの幅とほぼ同じか，衛生用紙Ｐの幅より大きくなるように構成されていることが好ましい。また，衛生用紙Ｐを透過したエアを，エア吸引口２１を介して効率的に吸引するために，エア吸引口２１の先端から衛生用紙Ｐの紙面までの距離は，例えば１ｍｍ〜１００ｍｍ，１０ｍｍ〜８０ｍｍ，又は２０ｍｍ〜６０ｍｍとすることが好ましい。
【００３４】
電動吸引機２２は，一方側が吸引用配管２４を介してエア吸引口２１に接続されるとともに，他方側が吸引用配管２４を介して集塵機２３に接続されている。電動吸引機２２は，例えばモータの駆動によりファンを回転させてエア吸引口２１から外気を吸引し，吸引した外気を集塵機２３へと送り込む。これにより，エア吸引口２１から外気と共に取り込まれた紙粉が，吸引用配管２４を介して集塵機２３へと送出される。また，電動吸引機２２におけるモータの回転数を調節することにより，エア吸引口２１から吸引されるエアの吸引圧力を調節可能である。エア吸引口２１から吸引されるエアの吸引圧力は，例えば１．５ｋＰａ〜５．５ｋＰａ，２ｋＰａ〜５ｋＰａ，又は２．５ｋＰａ〜４．５ｋＰａ程度であることが好ましい。ただし，エアの吸引圧力は，紙粉を除去する衛生用紙Ｐの性質（例えば坪量，厚み，又は素材）や，エア吸引口２１の先端から衛生用紙Ｐの紙面までの距離等に応じて，適宜調整することができる。
【００３５】
集塵機２３は，電動吸引機２２により吸引用配管２４内に送り込まれたエアに含まれる紙粉を集塵する。集塵機２３としては，公知のものを採用することができ，例えば重力集塵機，慣性集塵機，サイクロン，バグフィルター，又は電気集塵機を使用できる。
【００３６】
吸引用配管２４は，エア吸引口２１と電動吸引機２２，及び電動吸引機２２と集塵機２３を接続するための要素であり，気密性を有する公知のダクトやホースなどを用いればよい。また，吸引用配管２４には，吸引用配管の断面積を変化させて空気の流れを調節可能なダンパーを設けて，エア吸引口２１から吸引されるエアの吸引圧力を調節することとしてもよい。
【００３７】
除電部３０は，図１に示されるように，衛生用紙Ｐの搬送経路において，エア吐出口１１とエア吸引口２１の上流側に設けられる。特に，除電部３０は，衛生用紙の搬送経路のうち，エア吸引口２１が設けられた側であって，衛生用紙の紙面に対向する位置に設けられることが好ましい。除電部３０は，衛生用紙Ｐの電荷を除電し得る構成であれよく，例えば，衛生用紙Ｐに当接して除電するものであってもよいし，自己放電することにより衛生用紙Ｐとは非接触で除電するものであってもよい。衛生用紙Ｐに当接して除電を行う除電手段３０としては，例えば除電ブラシを採用できる。他方，衛生用紙Ｐとは非接触で除電を行う除電手段３０としては，イオナイザーを採用できる。なお，イオナイザーとは，例えば，電極針に高電圧発生部からの直流高電圧又は交流高電圧を印加してコロナ放電させて，その電極針により正又は負極性のイオンを発生させる装置である。イオナイザーは，発生したイオンを衛生用紙に吹き付けることにより，衛生用紙の帯電量をゼロに近づけることができる。
【００３８】
本実施形態において除電部３０は，除電ブラシである，除電ブラシ３０は，衛生用紙Ｐとほぼ同一の幅を有する基体３１と，基体３１に繊維状に植設されたブラシ部３２とを有している。ブラシ部３２が設けられる領域の幅は，衛生用紙Ｐの幅とほぼ同じか，衛生用紙Ｐの幅より大きくなるように構成されており，衛生用紙Ｐが搬送方向に従って走行すると，除電ブラシ３０のブラシ部３２が用紙の全幅に亘って当接するように構成されていることが好ましい。除電ブラシ３０は，少なくともブラシ部３２が，好ましくは基体３１及びブラシ部３２の両方が，導電性材料によって構成される。例えば，基体３１は，アルミニウムやステンレス鋼（ＳＵＳ）のような導電性材料で形成し，ブラシ部３２は，スチレン系，オレフィン系，塩ビ系，ウレタン系，ポリエステル系，又はポリアミド系のような導電性を付与した熱可塑性エラストマー樹脂で形成すればよい。
【００３９】
続いて，図１を参照して，上記構成を有する紙粉除去装置１の動作原理について説明する。
連続する衛生用紙Ｐには，通常，紙粉が付着している。図１において，紙粉は，薄墨を施した円形で概念的に示されている。衛生用紙Ｐは，搬送方向（図中右方向から左方向）に従って搬送されると，まず，除電ブラシ３０のブラシ部３２に当接する。このため，除電ブラシ３０によって，衛生用紙Ｐに帯電した静電気が除去されるとともに，衛生用紙Ｐの紙面に付着した紙粉が掻き出される。これにより，衛生用紙Ｐに付着した紙粉は，紙面から離脱するか，紙面から離脱し易い状態となる。
【００４０】
除電ブラシ３０の下流側には，衛生用紙Ｐの搬送経路を挟んで，上下に対向する位置に，衛生用紙Ｐの下面に臨むエア吐出口１１と，衛生用紙Ｐの上面に臨むエア吸引口２１が設けられている。すなわち，エア吐出口１１とエア吸引口２１は，衛生用紙Ｐの平面に対し直交する位置に設けられる。
【００４１】
エア吐出口１１は，吐出用配管１３を介して電動送風機１２から送り込まれたエアを吐出する。エア吐出口１１から吐出されたエアは，エア吐出口１１の向きに従い，上方に向かって上昇する。エア吐出口１１の上方には衛生用紙Ｐの搬送経路が位置しているため，エア吐出口１１から吐出されたエアは，衛生用紙Ｐの下面に吹きつけられる。衛生用紙Ｐに吹きつけられたエアは，衛生用紙Ｐの下面から上面まで透過する。このとき，衛生用紙Ｐの下面側に紙粉が付着している場合，当該紙粉が衛生用紙Ｐの構成繊維間よりも小さく微細なものであれば，当該紙粉は，吹きつけられたエアと共に，衛生用紙Ｐを通過して上面側へと送り出される。また，衛生用紙Ｐの下面側に付着している紙粉が，衛生用紙Ｐの構成繊維間より大きいものである場合であっても，衛生用紙Ｐに吹きつけられたエアの圧力によって，衛生用紙Ｐの下面から離脱し，重力に従って鉛直方向下方へ落下する。さらに，衛生用紙Ｐの上面側に紙粉が付着している場合，当該紙粉は，下方から吹きつけられるエアに押し出されて，衛生用紙Ｐの上面から離脱して上昇する。
【００４２】
また，衛生用紙Ｐの搬送経路の上方には，エア吸引口２１が位置している。エア吸引口２１は，エア吐出口１１から吐出され衛生用紙Ｐを透過したエアを，吸引する。エア吐出口１１から吐出されたエアには，衛生用紙Ｐの下面側に付着していた紙粉や，衛生用紙Ｐの上面側に付着していた紙粉が含まれているため，エア吸引口２１を介して，紙粉を含むエアを吸引することにより，衛生用紙Ｐの紙面上から紙粉を除去できる。電動吸引機２２は，エア吸引口２１から吸引したエアを，吸引用配管２４を介して，集塵機２３へと送出する。集塵機２３は，エアに含まれる紙粉を回収し，所定の箇所に蓄積する。このため，集塵機２３によって蓄積された紙粉を廃棄することで，紙粉を容易にかつ確実に除去できる。
【００４３】
上記の通り，本発明の紙粉除去装置１は，エア吐出口１１から吐出したエアを，衛生用紙Ｐを透過させて，エア吸引口２１によって吸引することで，紙粉を除去するものである。このため，紙粉除去装置１は，通気性を有する衛生用紙Ｐから紙粉を除去する用途で，好適に用いることができる。例えば，ティシュペーパー，トイレットペーパー，キッチンタオル，又はちり紙のような衛生用紙は，通常，通気性を有するものであるため，紙粉除去装置１は，これらの衛生用紙の紙粉除去に用いることができる。具体的に説明すると，紙粉除去対象の衛生用紙は，坪量が１０〜５０ｇ／ｍ２，又は２０〜４０ｇ／ｍ２であり，紙の総厚が８０〜２００μｍ，又は１００〜１６０μｍ（４０〜１００μｍ／１枚，５０〜８０μｍ／１枚）であることが好ましい。
【００４４】
以上，本発明に係る紙粉除去装置の好ましい実施形態について説明したが，本発明の紙粉除去装置は，上記実施形態に限定されるものではない。
例えば，紙粉除去装置は，衛生用紙の搬送経路の上側に設けられたエア吐出口１１からエアを吐出し，搬送経路の下側に設けられたエア吸引口２１からエアを吸引することで，紙粉を除去するものであってもよい。
また，紙粉除去装置は，衛生用紙の水平搬送経路を挟んで対向する位置にエア吐出口１１とエア吸引口２１を設けた上記の構成に限定されない。例えば，紙粉除去装置は，衛生用紙Ｐの搬送経路が水平方向に対して所定角度傾斜している場合であっても，当該衛生用紙の一方の紙面に対向するようにエア吐出口１１を設け，当該衛生用紙の他方の紙面に対向するようにエア吸引口２１を設けることで，紙粉を除去することが可能である。
【００４５】
（２．紙粉除去装置を用いた衛生用紙の製造方法）
次に，上記構成を有する紙粉除去装置１を用いた衛生用紙の製造方法について説明する。
【００４６】
（２−１．製造方法の第１の実施形態）
図２は，第１の実施形態に係る衛生用紙の製造方法を実行するための装置を示すブロック図である。図２において，右側の装置上流から左側の装置下流に向かって，衛生用紙Ｐが搬送される。第１の実施形態に係る製造方法は，例えば，ティシュペーパーの製造方法に適用することができる。
図２に示されるように，装置上流には，第１の原反ロール５１と第２の原反ロール５２が位置している。第１の原反ロール５１には長尺の第１の原紙Ｐ１が巻回されており，第２の原反ロール５２には長尺の第２の原紙Ｐ２が巻回されている。第１の原反ロール５１及び第２の原反ロール５２から，ガイドローラ５３を介して，第１の原紙Ｐ１及び第２の原紙Ｐ２が繰り出されると，第１の原紙Ｐ１及び第２の原紙Ｐ２は，重ね合せ部２（重ね合わせローラ）において，互いに重ね合わされる。ここで，第１の原紙Ｐ１及び第２の原紙Ｐ２が重ね合わされた複数層のシートを衛生用紙Ｐと称する。衛生用紙Ｐは，搬送方向に従って，装置下流側へと搬送される。
【００４７】
重ね合せ部２の装置下流には，カレンダー部５４が位置する。カレンダー部５４は，例えば１本の金属ローラ５４ａと１本の弾性ローラ５４ｂとにより，衛生用紙Ｐを挟持して加圧することにより，ウェブのテンションや線圧を調節して，衛生用紙Ｐに強度とソフトネスを持たせるカレンダー処理を行う。
【００４８】
カレンダー部５４の装置下流には，第１の紙粉除去装置１ａが位置している。ここで，第１の紙粉除去装置１ａが設けられる領域においては，第１の紙粉除去装置１ａの上流側及び下流側に位置するガイドローラ５３の位置を調節することにより，衛生用紙Ｐの搬送経路が水平に保たれていることが好ましい。衛生用紙Ｐは，装置下流側に搬送されると，まず，除電ブラシ３０ａ（除電部）によって，静電気の除去と紙面上に付着する紙粉の掻き出しが施される。なお，除電ブラシ３０ａに代えて，公知のイオナイザーを採用することもできる。ここで，第１の実施形態では，除電ブラシ３０ａの装置下流側において，第１の紙粉除去装置１ａは，衛生用紙Ｐの水平搬送経路の上方に設けられ衛生用紙Ｐの上面に臨むエア吐出口１１ａから，吐出用配管１３ａを介して，電動送風機１２ａの駆動によりエアを送り込んでいる。エア吐出口１１ａから衛生用紙Ｐの上面に吹きつけられたエアは，衛生用紙Ｐを透過して，衛生用紙Ｐの水平搬送経路の下方に設けられ衛生用紙Ｐの下面に臨むエア吸引口２１ａから吸引される。エア吸引口２１ａによって紙粉を含むエアが吸引されると，吸引されたエアは，電動吸引機２２ａの駆動により，吸引用配管２４ａを介して，集塵機２３ａへと送出される。このように，紙粉除去装置は，エア吐出口１１ａが衛生用紙Ｐの水平搬送経路の上側に設けられ，エア吸引口２１ａが衛生用紙Ｐの水平搬送経路の下側に設けられた構成であってもよい。カレンダー処理によって衛生用紙Ｐの紙面上に生じた紙粉は，第１の紙粉除去装置１ａによって除去される。
【００４９】
第１の紙粉除去装置１ａの装置下流には，印刷部３が位置している。印刷部３は，衛生用紙Ｐに対して，印刷を施す処理を行う。印刷部３としては，例えば，公知の回転印刷塗布装置を採用できる。例えば，印刷部３は，印刷ドラム３ａと，印刷ドラム３ａの円周上に配置された複数のプリンタ３ａ，３ｂを有する。そして，印刷部３は，印刷ドラム３ａに衛生用紙Ｐを巻きつけながら，複数のプリンタ３ａ，３ｂによって，搬送されてくる衛生用紙Ｐに対して，順次印刷インクを塗布していく。この印刷部３による印刷処理は，第１の紙粉除去装置１ａによる紙粉除去処理の直後に行われるものであり，衛生用紙Ｐの紙面に残存する紙粉は殆ど無く，紙粉の影響を受けないため，鮮明な印刷を施すことができる。
【００５０】
印刷部３の下流側には，第２の紙粉除去装置１ｂが位置している。第２の紙粉除去装置１ｂの構成は，第１の紙粉除去装置１ａの構成と異なり，エア吐出口１１ｂが衛生用紙Ｐの水平搬送経路の下側に設けられ，エア吸引口２１ｂが衛生用紙Ｐの水平搬送経路の上側に設けられている。すなわち，衛生用紙Ｐが装置下流側に搬送されると，まず，除電ブラシ３０ｂ（除電部）によって，静電気の除去と紙面上に付着する紙粉の掻き出しが施される。除電ブラシ３０ｂの装置下流側において，第２の紙粉除去装置１ｂは，衛生用紙Ｐの水平搬送経路の下方に設けられ衛生用紙Ｐの下面に臨むエア吐出口１１ｂから，吐出用配管１３ｂを介して，電動送風機１２ｂの駆動によりエアを送り込んでいる。エア吐出口１１ｂから衛生用紙Ｐの下面に吹きつけられたエアは，衛生用紙Ｐを透過して，衛生用紙Ｐの水平搬送経路の上方に設けられ衛生用紙Ｐの上面に臨むエア吸引口２１ｂから吸引される。エア吸引口２１ｂによって紙粉を含むエアが吸引されると，吸引されたエアは，電動吸引機２２ｂの駆動により，吸引用配管２４ｂを介して，集塵機２３ｂへと送出される。このように，第２の紙粉除去装置１ｂは，印刷部３による印刷処理によって衛生用紙Ｐの紙面上に生じた紙粉を除去することができる。また，印刷部３の下流側に第２の紙粉除去装置１ｂを設けることで，第２の紙粉除去装置１ｂによって吐出及び吸引されたエアを利用して，印刷部３によって塗布されたインクの乾燥を促進できる。後述するように，第２の紙粉除去装置１ｂの下流側には保湿剤塗布部４が位置しているが，印刷部３と保湿剤塗布部４の間に，第２の紙粉除去装置１ｂを設けて，インクの乾燥を促進することにより，衛生用紙Ｐに保湿剤を塗布した際に，当該インクが滲むことを防止できる。
【００５１】
第１の実施形態においては，図２に示されるように，第１の紙粉除去装置１ａによって衛生用紙Ｐに吹きつけられるエアの通気方向と，第２の紙粉除去装置１ｂによって衛生用紙Ｐに吹きつけられるエアの通気方向が，衛生用紙Ｐの水平搬送経路を挟んで，上下に反転している。このように第１の紙粉除去装置１ａと第２の紙粉除去装置１ｂを配置することにより，衛生用紙Ｐの上面と下面のそれぞれに対して，エアを吹きつけることができる。従って，衛生用紙Ｐの上面と下面のそれぞれに付着した紙粉を，さらに確実に除去することができる。
【００５２】
なお，図２に示された例では，第１の紙粉除去装置１ａのエア吐出口１１ａに接続された電動送風機１２ａと，第２の紙粉除去装置１ｂのエア吐出口１１ｂに接続された電動送風機１２ｂは，別に設けられている。ただし，第１の紙粉除去装置１ａのエア吐出口１１ａと，第２の紙粉除去装置１ｂのエア吐出口１１ｂは，同一の吐出用配管を介して，同一の電動送風機に接続される構成としてもよい。
同様に，図２に示された例では，第１の紙粉除去装置１ａのエア吸引口２１ａに接続された電動吸引機２２ａと，第２の紙粉除去装置１ｂのエア吸引口２１ｂに接続された電動送風機２２ｂは，別に設けられている。ただし，第１の紙粉除去装置１ａのエア吸引口２１ａと，第２の紙粉除去装置１ｂのエア吸引口２１ｂは，同一の吸引用配管を介して，同一の電動吸引機に接続される構成としてもよい。
このように，複数の紙粉除去装置１ａ，１ｂによって電動送風機及び電動吸引機を共有して利用することで，衛生用紙の製造装置のコンパクト化，及び低コスト化を実現できる。
【００５３】
第２の紙粉除去装置１ｂの装置下流には，保湿剤塗布部４が位置している。保湿剤塗布部４は，衛生用紙Ｐに対して保湿剤を塗布する処理を行う。保湿剤塗布部４は，例えば衛生用紙Ｐに対して保湿剤を供給する転写ロー４ａと，転写ローラ４ａとの間で衛生用紙Ｐを挟持する支持ローラ４ｂを備え，転写ローラ４ａと支持ローラ４ｂを回転させて，その間に衛生用紙Ｐを導入することで，衛生用紙Ｐに保湿剤を塗布する。保湿剤塗布部４が塗布する保湿剤としては，一般的な保湿ペーパーに用いられる各種の液体を用いることができる。保湿剤としては，例えば，グリセリン，ジグリセリン，プロピレングリコール又は１．３−ブチレングリコール等を一種又は二種以上の成分として含む液体を用いることができる。この保湿剤塗布部４による保湿剤の塗布処理は，第２の紙粉除去装置１ｂによる紙粉除去処理の直後に行われるものであり，衛生用紙Ｐの紙面に残存する紙粉は殆ど無く，紙粉の影響を受けないため，保湿剤をムラなく塗布することができる。
【００５４】
上記工程によれば，効率的に紙粉が除去され，印刷と保湿剤の塗布が施された２プライの衛生用紙を得ることができる。
また，保湿剤塗布部４の装置下流には，カッター５５と，巻き取りローラ５６が位置しており，衛生用紙Ｐは，カッター５５により所定幅に切断された後，巻き取りローラ５６によって巻き取られるものであってもよい。また，巻き取られた衛生用紙Ｐは，公知の折畳加工部（図示省略）により折畳加工された後，公知のカートン詰め部（図示省略）によってティシュカートンに詰め込まれるものであってもよい。
【００５５】
（２−２．製造方法の第２の実施形態）
図３は，第２の実施形態に係る衛生用紙の製造方法を実行するための装置を示すブロック図である。第２の実施形態については，上記した第１の実施形態と異なる点を中心に説明を行う。
【００５６】
第２の実施形態は，第１の実施形態とは異なり，第１の原反ロール５１から繰り出した第１の原紙Ｐ１と，第２の原反ロール５２から繰り出した第２の原紙Ｐ２を，重ね合せ部２において重ね合わせる前に，第１の原紙Ｐ１及び第２の原紙Ｐ２のそれぞれについて，紙粉除去装置１ａ，１ｂを用いた紙粉除去処理を行う。
【００５７】
具体的に説明すると，第１の原反ロール５１の下流には，第１の紙粉除去装置１ａが配置されている。ここで，第１の紙粉除去装置１ａは，図３に示されるように，吐出用配管１３ａを介して電動送風機１２ａに接続されたエア吐出口１１ａが第１の原紙Ｐ１の水平搬送経路の下側に設けられており，吸引用配管２４ａを介して電動吸引機２２ａと集塵機２３ａに接続されたエア吸引口２１ａが第１の原紙Ｐ１の水平搬送経路の上側に設けられている。除電手段３０ａは，エア吸引口２１ａと共に，第１の原紙Ｐ１の水平搬送経路の上側に配置される。また，第２の原反ロール５２の下流には，第２の紙粉除去装置１ｂが配置されている。ここで，第２の紙粉除去装置１ｂは，図３に示されるように，吐出用配管１３ｂを介して電動送風機１２ｂに接続されたエア吐出口１１ｂが第２の原紙Ｐ２の水平搬送経路の上側に設けられており，吸引用配管２４ｂを介して電動吸引機２２ｂと集塵機２３ｂに接続されたエア吸引口２１ｂが第２の原紙Ｐ２の水平搬送経路の下側に設けられている。除電手段３０ｂは，エア吸引口２１ｂと共に，第２の原紙Ｐ１の水平搬送経路の下側に配置される。そして，第１の紙粉除去装置１ａを用いて紙粉を除去した第１の原紙Ｐ１と，第２の紙粉除去装置１ｂを用いて紙粉を除去した第２の原紙Ｐ２を，重ね合せ部２において互いに重ね合せて，２プライの衛生用紙Ｐを得る。
【００５８】
衛生用紙をなす原紙は，原反ロールに巻回されている段階において，少なからずその紙面上に紙粉が付着している。このため，原反ロールから繰り出した原紙を，すぐに重ね合わせてしまうと，原紙の層間に紙粉が介在することとなる。一旦，原紙の層間に挟み込まれた紙粉を，後の紙粉除去処理において除去することは比較的困難である。そこで，原紙を重ね合わせる前に，原反ロールから        繰り出されたそれぞれの原紙に対し，本発明の紙粉除去装置を用いて，紙面両面の紙粉を確実に除去することで，原紙の層間に紙粉が滞留する事態を効率的に防止できる。特に，第１の紙粉除去装置１ａによって第１の原紙Ｐ１の下面にエアを吹きつけて紙粉を除去し，第２の紙粉除去装置１ｂによって第２の原紙Ｐ２の上面にエアを吹きつけて紙粉を除去した後，第１の原紙Ｐ１の下面と第２の原紙Ｐ２の上面を重ね合わせることにより，衛生用紙Ｐの紙層の間に紙粉が滞留する事態を，さらに確実に防止できる。
【００５９】
また，図３に示されるように，第２の実施形態では，第１の実施形態と異なり，印刷部３の下流であって保湿剤塗布部４の上流に，第３の紙粉除去装置１ｃ及び第４の紙粉除去装置１ｄが配置されている。ここで，第３の紙粉除去装置１ｃは，図３に示されるように，吐出用配管１３ｃを介して電動送風機１２ｃに接続されたエア吐出口１１ｃが衛生用紙Ｐの水平搬送経路の上側に設けられており，吸引用配管２４ｃを介して電動吸引機２２ｃと集塵機２３ｃに接続されたエア吸引口２１ｃが衛生用紙Ｐの水平搬送経路の下側に設けられている。除電手段３０ｃは，エア吸引口２１ｃと共に，衛生用紙Ｐの水平搬送経路の下側に配置される。また，第４の紙粉除去装置１ｄは，図３に示されるように，吐出用配管１３ｄを介して電動送風機１２ｄに接続されたエア吐出口１１ｄが衛生用紙Ｐの水平搬送経路の下側に設けられており，吸引用配管２４ｄを介して電動吸引機２２ｄと集塵機２３ｄに接続されたエア吸引口２１ｄが衛生用紙Ｐの水平搬送経路の上側に設けられている。除電手段３０ｄは，エア吸引口２１ｄと共に，衛生用紙Ｐの水平搬送経路の上側に配置される。
【００６０】
第２の実施形態のように，衛生用紙Ｐの水平搬送経路を挟んでエア吐出口とエア吸引口が上下に反転した第３の紙粉除去装置１ｃと第４の紙粉除去装置１ｄを，並べて配置することにより，衛生用紙Ｐの上面と下面のそれぞれに付着した紙粉を，さらに確実に除去することができる。また，印刷部３の下流側に第３の紙粉除去装置１ｃと第４の紙粉除去装置１ｄを設けることで，印刷部３によって塗布されたインクの乾燥を促進でき，これらの紙粉除去装置１ｃ，１ｄの下流側において，衛生用紙Ｐに保湿剤を塗布することにより，当該インクが滲むことを防止できる。
【００６１】
なお，第２の実施形態においても，第１の実施形態と同様に，複数の紙粉除去装置１ａ，１ｂ，１ｃ，１ｄは，一の電動送風機と一の電動吸引機を共有して利用するものであってもよい。
【００６２】
（２−３．製造方法の第３の実施形態）
図４は，第３の実施形態に係る衛生用紙の製造方法を実行するための装置を示すブロック図である。第３の実施形態に係る製造方法は，例えば，トイレットロールの製造方法に適用することができる。
【００６３】
図４に示されるように，第１の原反ロール５１と第２の原反ロール５２には，それぞれ第１の原紙Ｐ１と第２の原紙Ｐ２が巻回されており，これらの原反ロール５１，５２は，製品となるトイレットロールの幅の数倍から数十倍の幅を有している。
【００６４】
第１の原反ロール５１と第２の原反ロール５２の下流側には，重ね合せ部２（重ね合わせローラ）が位置しており，重ね合せ部２において，ガイドローラ５３を介して搬送された第１の原紙Ｐ１と第２の原紙Ｐ２を重ね合わせて，衛生用紙Ｐとする。
【００６５】
重ね合せ部２の下流には，エンボス加工部５７が位置している。エンボス加工部５７は，例えば，衛生用紙Ｐの搬送経路を挟んで対向する位置に，エンボスローラ５７ａと，受けローラ５７ｂを備える。エンボスローラ５７ａは，衛生用紙Ｐに対して付与するエンボスのパターンに応じた複数の凸部を有する。他方，受けローラ５７ｂには，例えばエンボスローラ５７ａの凸部のパターンと相補的な凹パターンが外周面に形成された金属製のローラや，ローラの外周面がゴムで被覆されたラバー製のローラを用いることができる。エンボス加工部５７においては，エンボスローラ５７ａと受けローラ５７ｂとの間に衛生用紙Ｐを導入し，衛生用紙Ｐを挟みこんで押圧することにより，エンボスローラ５７ａの凸部に応じたパターンのエンボスを，衛生用紙Ｐの紙面に施すことができる。エンボス加工を施すことにより，第１の原紙Ｐ１と第２の原紙Ｐ２の結合力が向上するとともに，エンボスパターンによって衛生用紙Ｐの意匠性を向上させることができる。
【００６６】
エンボス加工部５７の下流側には，第１の紙粉除去装置１ａ及び第２の紙粉除去装置１ｂが位置している。ここで，第１の紙粉除去装置１ａは，図４に示されるように，吐出用配管１３ａを介して電動送風機１２ａに接続されたエア吐出口１１ａが衛生用紙Ｐの水平搬送経路の上側に設けられており，吸引用配管２４ａを介して電動吸引機２２ａと集塵機２３ａに接続されたエア吸引口２１ａが衛生用紙Ｐの水平搬送経路の下側に設けられている。除電手段３０ａは，エア吸引口２１ａと共に，衛生用紙Ｐの水平搬送経路の下側に配置される。また，第２の紙粉除去装置１ｂは，図４に示されるように，吐出用配管１３ｂを介して電動送風機１２ｂに接続されたエア吐出口１１ｂが衛生用紙Ｐの水平搬送経路の下側に設けられており，吸引用配管２４ｂを介して電動吸引機２２ｂと集塵機２３ｂに接続されたエア吸引口２１ｂが衛生用紙Ｐの水平搬送経路の上側に設けられている。除電手段３０ｂは，エア吸引口２１ｂと共に，衛生用紙Ｐの水平搬送経路の上側に配置される。
【００６７】
紙粉除去装置１の下流側には，長尺の衛生用紙Ｐを巻き取るための巻き取りローラ５６が位置しており，紙粉除去処理が施された衛生用紙Ｐは，巻き取りローラ５６に巻回される。このように，巻き取りローラ５６の近くに，紙粉除去装置１ａ，１ｂを配置することにより，より効率的に紙粉が除去された衛生用紙を得ることができる。すなわち，紙粉を除去する工程を行った後に，衛生用紙Ｐを搬送する距離が長いと，衛生用紙Ｐの表面に抵抗が掛かり，衛生用紙Ｐの巻き取りを行う前に紙粉が再発生することが懸念される。そこで，衛生用紙Ｐから紙粉を除去した直後（例えば１ｍ〜２０ｍ以内）に，衛生用紙Ｐの巻き取りを行うことで，衛生用紙Ｐに紙粉が再発生することを防止できる。
【００６８】
巻き取りローラ５６に巻き取られた衛生用紙Ｐは，その後，切断部（図示省略）へと搬出され，ログソーによって，長尺の衛生用紙Ｐが所定幅に切断されて，個々のトイレットロールとなる。
【産業上の利用可能性】
【００６９】
本発明は，衛生用紙に付着した紙粉を除去するための紙粉除去装置，及び紙粉除去装置を用いた衛生用紙の製造方法に関する。このため，本発明は，衛生用紙の製造産業において好適に利用し得る。
【符号の説明】
【００７０】
１    紙粉除去装置
２    重ね合せ部
３    印刷部
４    保湿剤塗布部
１０  エア吐出部
１１  エア吐出口  
１２  電動送風機
１３  吐出用配管
２０  エア吸引部
２１  エア吸引口
２２  電動吸引機
２３  集塵機
２４  吸引用配管
３０  除電部（除電ブラシ）
３１  基体
３２  ブラシ部
５１  第１の原反ロール
５２  第２の原反ロール
５３  ガイドローラ
５４  カレンダー部
５５  カッター
５６  巻き取りローラ
５７  エンボス加工部
【図１】
0005919946.tif 000002
【図２】
0005919946.tif 000003
【図３】
0005919946.tif 000004
【図４】
0005919946.tif 000005